(57)【要約】【課題】水の浸入を防ぎ、より安全にコンピュータ機器を使用することが可能な、システムを実現する。【解決手段】自装置をシャットダウンするための停止手段を備えた複数のサーバと、前記複数のサーバの夫々を管理する管理マネージャとを備え、複数の領域の夫々に配置されたサーバのうち、少なくとも１つのサーバは、外装に空気孔が設けられており、水滴を検知するセンサと、前記空気孔を閉じる開閉手段と、水滴を検知すると前記管理マネージャに通知する送信手段と、を備え、前記管理マネージャは、前記通知を受信したとき、前記通知を送信したサーバと同じ領域に配置されたサーバに対し、シャットダウンするための指示を送信する送信手段を備え、各領域に配置されたサーバのうち、前記同じ領域に配置されたサーバの停止手段は、前記指示を受信したとき、当該サーバをシャットダウンする、ことを特徴とするシステム。【選択図】      図１１
2015053004.tif 000002
【特許請求の範囲】
【請求項１】
１または複数の領域に配置され、自装置をシャットダウンするための停止手段を備えた複数のサーバと、前記複数のサーバの夫々を管理する管理マネージャとを備え、
各領域に配置された１または複数のサーバのうち、少なくとも１つのサーバは、外装に空気孔が設けられており、
水滴を検知するセンサと、
前記空気孔を閉じる開閉手段と、
前記センサが水滴を検知すると、前記管理マネージャに水滴を検知したことを示す通知を送信する第１の送信手段と、を備え、
前記管理マネージャは、
前記センサを備えた前記少なくとも１つのサーバのうち、前記センサによって水滴を検知したサーバから前記通知を受信したとき、当該サーバと同じ領域に配置された、当該サーバとは異なるサーバに対し、シャットダウンするための指示を送信する第２の送信手段を備え、
前記１または複数の領域の何れかに配置されたサーバの前記センサが水滴を検知したとき、前記開閉手段は前記空気孔を閉じ、
当該サーバの前記停止手段は、前記センサが水滴を検知したとき、当該サーバをシャットダウンし、
各領域に配置された１または複数のサーバのうち、前記水滴を検知したサーバと同じ領域に配置されたサーバの停止手段は、前記シャットダウンするための指示を受信したとき、当該サーバをシャットダウンする、ことを特徴とするシステム。
【請求項２】
各領域に配置された１または複数のサーバのうち、前記水滴を検知したサーバと同じ領域に配置されたサーバの外装に空気孔が設けられている場合、当該サーバが前記シャットダウンするための指示を受信したとき、当該サーバの前記開閉手段は、前記空気孔を閉じ、
当該サーバの前記停止手段は、当該開閉手段が当該空気孔を閉じた後に、当該サーバをシャットダウンする、ことを特徴とする、請求項１に記載のシステム。
【請求項３】
前記管理マネージャは、前記複数のサーバの夫々が配置されている領域を示すサーバ設置情報を記憶する第１の記憶手段と、
前記サーバ設置情報を参照して、前記通知を送信したサーバと同じ領域に配置されたサーバであって、当該通知を送信したサーバとは異なるサーバを特定するサーバ特定手段とを更に備え、
前記第２の送信手段は、前記サーバ特定手段が特定したサーバに対し、シャットダウンするための指示を送信する、ことを特徴とする請求項１または２に記載のシステム。
【請求項４】
前記少なくとも１つのサーバは、該サーバが設置された領域と同じ領域に設置されているサーバを管理するための機器グループ情報を記憶する第２の記憶手段を更に備え、
前記第１の送信手段は、前記通知と共に、前記機器グループ情報を前記管理マネージャに送信し、
前記管理マネージャの前記第２の送信手段は、前記機器グループ情報に基づいて、前記通知を送信したサーバと同じ領域に配置されたサーバであって、当該通知を送信したサーバとは異なるサーバに対し、シャットダウンするための指示を送信する、ことを特徴とする請求項１から３の何れか１項に記載のシステム。
【請求項５】
１または複数の領域に配置され、自装置をシャットダウンするための停止手段を備えた複数のサーバを備え、
各領域に配置された１または複数のサーバのうち、少なくとも１つのサーバは、外装に空気孔が設けられており、
水滴を検知するセンサと、
前記センサが水滴を検知すると、前記空気孔を閉じる開閉手段と、
前記センサが水滴を検知すると、当該サーバと同じ領域に配置されたサーバを特定するサーバ特定手段と、
前記サーバ特定手段が特定したサーバに対し、シャットダウンするための指示を送信する送信手段と、を備え、
前記センサを備えた前記少なくとも１つのサーバのうち、前記センサによって水滴を検知したサーバの前記停止手段は、前記センサが水滴を検知したとき、当該サーバをシャットダウンし、
各領域に配置された１または複数のサーバのうち、前記水滴を検知したサーバと同じ領域に配置されたサーバの停止手段は、前記シャットダウンするための指示を受信したとき、当該サーバをシャットダウンする、ことを特徴とするシステム。
【請求項６】
各領域に配置された１または複数のサーバのうち、前記水滴を検知したサーバと同じ領域に配置されたサーバの外装に空気孔が設けられている場合、当該サーバが前記シャットダウンするための指示を受信したとき、当該サーバの前記開閉手段は、前記空気孔を閉じ、
当該サーバの前記停止手段は、当該開閉手段が当該空気孔を閉じた後に、当該サーバをシャットダウンする、ことを特徴とする、請求項５に記載のシステム。
【請求項７】
前記サーバ特定手段は、前記センサが水滴を検知したとき、ブロードキャストすることによって、当該サーバに接続されている他のサーバの設置場所を示す情報を取得し、取得した前記情報に基づいて、当該サーバと同じ領域に配置されたサーバを特定する、ことを特徴とする請求項５または６に記載のシステム。
【請求項８】
前記少なくとも１つのサーバは、該サーバが設置された領域と同じ領域に設置されているサーバを管理するための機器グループ情報を記憶する記憶手段を更に備え、
前記サーバ特定手段は、前記機器グループ情報に基づいて、当該サーバと同じ領域に配置されたサーバを特定する、ことを特徴とする請求項５または６に記載のシステム。
【請求項９】
外装に空気孔が設けられているサーバを少なくとも１つ含んだ１または複数のサーバが、１または複数の領域の夫々に配置されており、当該サーバが配置された領域とは異なる領域に当該サーバを管理する管理マネージャが配置されたシステムの制御方法であって、
前記少なくとも１つのサーバが、
水滴を検知し、前記空気孔を閉じ、前記管理マネージャに水滴を検知したことを示す通知を送信し、当該サーバをシャットダウンし、
前記管理マネージャが、
前記水滴を検知したサーバから、前記通知を受信したとき、前記通知を送信したサーバと同じ領域に配置されたサーバであって、当該通知を送信したサーバとは異なるサーバに対し、シャットダウンするための指示を送信し、
各領域に配置された１または複数のサーバのうち、前記水滴を検知したサーバと同じ領域に配置されたサーバが、前記シャットダウンするための指示を受信したとき、当該サーバをシャットダウンする、ことを特徴とする制御方法。
【請求項１０】
１または複数の領域に配置された複数のサーバを備え、各領域に配置された１または複数のサーバのうち、少なくとも１つのサーバには、外装に空気孔が設けられたシステムの制御方法であって、
前記少なくとも１つのサーバが、
水滴を検知し、前記空気孔を閉じ、当該サーバと同じ領域に配置されたサーバを特定し、前記特定したサーバに対し、シャットダウンするための指示を送信し、当該サーバをシャットダウンし、
各領域に配置された１または複数のサーバのうち、前記水滴を検知したサーバと同じ領域に配置されたサーバが、前記シャットダウンするための指示を受信したとき、当該サーバをシャットダウンする、ことを特徴とする制御方法。
【発明の詳細な説明】
【技術分野】
【０００１】
本発明はシステムおよび制御方法に関する。
【背景技術】
【０００２】
コンピュータ機器は、機器外装に空気孔が設けられている場合がある。このようなコンピュータ機器の空気孔から内部へ、例えばスプリンクラーのような散水機による水の侵入を防ぐ方法が考えられている。
【０００３】
内部への水の浸入を防ぐ方法として、特許文献１には、水滴センサによる水滴検出の有無に対応して開口部を開閉するマイクロホン装置が開示されている。
【先行技術文献】
【特許文献】
【０００４】
【特許文献１】特開２００９−０４４６８７号公報
【発明の概要】
【発明が解決しようとする課題】
【０００５】
複数のコンピュータ機器が同じ部屋に設置され、ネットワークで互いに接続されている場合、スプリンクラーが作動すると、その部屋に設置されているコンピュータ機器の全てに水が浸入することが考えられる。
【０００６】
しかしながら、特許文献１の技術では、水滴の検出をした装置のみが開口部を閉じ、水滴を検出していない装置は、開口部が空いたままになってしまい、水の浸入を許してしまう可能性がある。
【０００７】
また、コンピュータ機器の場合、水滴を検出したときに、これ以上の水滴の浸入を防ぎ、更に、シャットダウンすることが好ましい。しかしながら、特許文献１の技術では、水滴が浸入したことを検知した場合であっても、稼働し続けてしまうため、水滴の浸入による不具合が発生する可能性がある。
【０００８】
本発明は、上記課題に鑑みてなされたものであり、その目的は、水の浸入を防ぎ、より安全にコンピュータ機器を使用することが可能な、システムを実現することにある。
【課題を解決するための手段】
【０００９】
本発明の一態様に係るシステムは、１または複数の領域に配置され、自装置をシャットダウンするための停止手段を備えた複数のサーバと、前記複数のサーバの夫々を管理する管理マネージャとを備え、各領域に配置された１または複数のサーバのうち、少なくとも１つのサーバは、外装に空気孔が設けられており、水滴を検知するセンサと、前記空気孔を閉じる開閉手段と、前記センサが水滴を検知すると、前記管理マネージャに水滴を検知したことを示す通知を送信する第１の送信手段と、を備え、前記管理マネージャは、前記センサを備えた前記少なくとも１つのサーバのうち、前記センサによって水滴を検知したサーバから前記通知を受信したとき、当該サーバと同じ領域に配置された、当該サーバとは異なるサーバに対し、シャットダウンするための指示を送信する第２の送信手段を備え、前記１または複数の領域の何れかに配置されたサーバの前記センサが水滴を検知したとき、前記開閉手段は前記空気孔を閉じ、当該サーバの前記停止手段は、前記センサが水滴を検知したとき、当該サーバをシャットダウンし、各領域に配置された１または複数のサーバのうち、前記水滴を検知したサーバと同じ領域に配置されたサーバの停止手段は、前記シャットダウンするための指示を受信したとき、当該サーバをシャットダウンする。
【００１０】
また、本発明の一態様に係るシステムは、１または複数の領域に配置され、自装置をシャットダウンするための停止手段を備えた複数のサーバを備え、各領域に配置された１または複数のサーバのうち、少なくとも１つのサーバは、外装に空気孔が設けられており、水滴を検知するセンサと、前記センサが水滴を検知すると、前記空気孔を閉じる開閉手段と、前記センサが水滴を検知すると、当該サーバと同じ領域に配置されたサーバを特定するサーバ特定手段と、前記サーバ特定手段が特定したサーバに対し、シャットダウンするための指示を送信する送信手段と、を備え、前記センサを備えた前記少なくとも１つのサーバのうち、前記センサによって水滴を検知したサーバの前記停止手段は、前記センサが水滴を検知したとき、当該サーバをシャットダウンし、各領域に配置された１または複数のサーバのうち、前記水滴を検知したサーバと同じ領域に配置されたサーバの停止手段は、前記シャットダウンするための指示を受信したとき、当該サーバをシャットダウンする。
【００１１】
また、本発明の一態様に係るシステムの制御方法は、外装に空気孔が設けられているサーバを少なくとも１つ含んだ１または複数のサーバが、１または複数の領域の夫々に配置されており、当該サーバが配置された領域とは異なる領域に当該サーバを管理する管理マネージャが配置されたシステムの制御方法であって、前記少なくとも１つのサーバが、水滴を検知し、前記空気孔を閉じ、前記管理マネージャに水滴を検知したことを示す通知を送信し、当該サーバをシャットダウンし、前記管理マネージャが、前記水滴を検知したサーバから、前記通知を受信したとき、前記通知を送信したサーバと同じ領域に配置されたサーバであって、当該通知を送信したサーバとは異なるサーバに対し、シャットダウンするための指示を送信し、各領域に配置された１または複数のサーバのうち、前記水滴を検知したサーバと同じ領域に配置されたサーバが、前記シャットダウンするための指示を受信したとき、当該サーバをシャットダウンする。
【００１２】
また、本発明の一態様に係るシステムの制御方法は、１または複数の領域に配置された複数のサーバを備え、各領域に配置された１または複数のサーバのうち、少なくとも１つのサーバには、外装に空気孔が設けられたシステムの制御方法であって、前記少なくとも１つのサーバが、水滴を検知し、前記空気孔を閉じ、当該サーバと同じ領域に配置されたサーバを特定し、前記特定したサーバに対し、シャットダウンするための指示を送信し、当該サーバをシャットダウンし、各領域に配置された１または複数のサーバのうち、前記水滴を検知したサーバと同じ領域に配置されたサーバが、前記シャットダウンするための指示を受信したとき、当該サーバをシャットダウンする。
【発明の効果】
【００１３】
本発明のシステムによれば、水の浸入を防ぎ、より安全にサーバを使用することができる。
【図面の簡単な説明】
【００１４】
【図１】本発明の第１の実施の形態に係るシステムの配置の一例を示す図である。
【図２】第１の実施の形態に係るシステムのハードウェア構成の一例を示す図である。
【図３】第１の実施の形態に係るシステムの機能構成を示す機能ブロック図である。
【図４】第１の実施の形態に係るシステムにおける、水滴を検知した、遮蔽機構を有したサーバの処理の流れの一例を示すフローチャートである。
【図５】第１の実施の形態に係るシステムにおける、管理マネージャの処理の流れの一例を示すフローチャートである。
【図６】第１の実施の形態に係るシステムにおけるサーバであって、管理マネージャに対し水滴を検知したことを通報したサーバ以外のサーバの処理の流れの一例を示すフローチャートである。
【図７】本発明の第２の実施の形態に係るシステムの配置の一例を示す図である。
【図８】第２の実施の形態に係るシステムの機能構成を示す機能ブロック図である。
【図９】第２の実施の形態に係るシステムにおける、水滴を検知したサーバの処理の流れの一例を示すフローチャートである。
【図１０】第２の実施の形態に係るシステムにおけるサーバであって、水滴を検知したサーバ以外のサーバの処理の流れの一例を示すフローチャートである。
【図１１】第３の実施の形態に係るシステムの構成の一例を示す図である。
【発明を実施するための形態】
【００１５】
＜第１の実施の形態＞
本発明の第１の実施の形態について、図面を参照して詳細に説明する。
【００１６】
（システムの配置）
図１は、本実施の形態に係るシステム１００の配置の一例を示す図である。図１に示すように、本実施の形態に係るシステム１００は、複数のサーバＡ１〜Ａ３、Ｂ１〜Ｂ３と、管理マネージャ１０とを備えている。なお、サーバの数は一例であり、これに限定されるものではない。
【００１７】
サーバＡ１〜Ａ３は、領域Ａにそれぞれ設置されている。また、サーバＢ１〜Ｂ３は、領域Ａとは異なる領域である、領域Ｂに設置されている。また、管理マネージャ１０は、領域ＡおよびＢとは異なる領域である領域Ｃに設置されている。
【００１８】
領域Ａ〜Ｃは、ぞれぞれ、防火壁等で区分けされた場所であるとする。また、領域ＡおよびＢは、それぞれ、スプリンクラーなどの防火設備を備えた部屋であり、当該スプリンクラーは、それぞれ別個に動作するものであるとする。
【００１９】
サーバＡ１〜Ａ３は、互いにネットワーク接続されており、機器グループＡを構成している。また、サーバＡ１〜Ａ３は、それぞれ、管理マネージャ１０にネットワーク接続されている。
【００２０】
同様に、サーバＢ１〜Ｂ３は、互いにネットワーク接続されており、機器グループＡとは異なるグループである機器グループＢを構成している。また、サーバＢ１〜Ｂ３は、それぞれ、管理マネージャ１０にネットワーク接続されている。このように同一の領域にあるサーバは１つの機器グループに所属している。
【００２１】
（システムのハードウェア構成）
次に、図２を参照して、本実施の形態に係るシステム１００のハードウェア構成について、説明する。図２は、本実施の形態に係るシステム１００のハードウェア構成の一例を示す図である。なお、図２では、管理マネージャ１０、サーバＡ１およびサーバＡ２のみを記載している。サーバＡ３、サーバＢ１およびサーバＢ２は、サーバＡ２と同様のハードウェア構成であるとするため、説明を省略する。また、サーバＢ３は、サーバＡ１と同様のハードウェア構成であるとするため、説明を省略する。
【００２２】
なお、図２に示すハードウェア構成は、本実施の形態に特有な構成について表現したものであり、システム１００が、図２に示されていない構成を有していてもよいことは言うまでもない。
【００２３】
（サーバＡ１）
図２に示す通り、サーバＡ１は、遮蔽機構２２、センサ２３、ＣＰＵ２４、メモリ２５および通信Ｉ／Ｆ（通信インタフェース）２６を備えており、それぞれシステムバス２７を介して接続している。
【００２４】
遮蔽機構２２は、サーバＡ１の外装に設けられた複数の空気孔２１を開閉するための部材である。遮蔽機構２２は、開閉部材２２１と、ロック部材２２２とを含んでいる。空気孔２１が開いた状態にする時、開閉部材２２１は、ロック部材２２２によって、図２の破線で示した位置に固定されている。空気孔２１が閉じた状態にする時、ロック部材２２２がロックを解除し、開閉部材２２１が図２の実線で示した位置に移動し、空気孔２１を遮蔽する。これにより、遮蔽機構２２は、外部からサーバＡ１内部への水などの浸入を防ぐことができる。
【００２５】
センサ２３は、水滴を検知する水滴センサである。センサ２３は、空気孔２１を通過した水滴を検知する。
【００２６】
ＣＰＵ２４は、オペレーティングシステムを動作させてサーバＡ１全体を制御する。また、ＣＰＵ２４は、例えば、ドライブ装置に装着された記録媒体からメモリ２５にプログラムやデータを読み出す。
【００２７】
メモリ２５は、例えば、光ディスク、フレキシブルディスク、磁気光ディスク、外付けハードディスク、または半導体メモリ等である。メモリ２５の一部の記憶媒体は、不揮発性記憶装置であり、そこにプログラムを記憶している。また、プログラムは通信網に接続されている図示しない外部コンピュータからダウンロードされてもよい。
【００２８】
通信Ｉ／Ｆ２６は、ネットワーク接続用の通信インタフェースである。サーバＡ１は通信Ｉ／Ｆ２６を介して、外部機器と通信を行う。
【００２９】
（サーバＡ２）
次に、サーバＡ２のハードウェア構成の一例について、説明する。サーバＡ２は、サーバＡ１と異なり、空気孔２１が外装に形成されていない構成であるとする。サーバＡ２は、空気孔２１が外装に形成されていないため、遮蔽機構および水滴を検知するセンサを備えていない。
【００３０】
サーバＡ２は、図２に示す通り、ＣＰＵ３４および通信Ｉ／Ｆ３６を備えており、それぞれシステムバス３７を介して接続している。通信Ｉ／Ｆ３６は上述した通信Ｉ／Ｆ２６と同様の構成であるため説明を省略する。
【００３１】
ＣＰＵ３４は、オペレーティングシステムを動作させてサーバＡ２全体を制御する。また、ＣＰＵ３４は、例えば、ドライブ装置に装着された記録媒体から図示しないメモリにプログラムやデータを読み出す。
【００３２】
（管理マネージャ１０）
管理マネージャ１０は、ＣＰＵ１４、メモリ１５および通信Ｉ／Ｆ１６を備えており、それぞれシステムバス１７を介して接続している。メモリ１５および通信Ｉ／Ｆ１６は、それぞれ、上述したメモリ２５および通信Ｉ／Ｆ２６と同様の構成であるため説明を省略する。
【００３３】
ＣＰＵ１４は、オペレーティングシステムを動作させて、管理マネージャ装置１０全体を制御する。また、ＣＰＵ１４は、例えば、ドライブ装置に装着された記録媒体からメモリ１５にプログラムやデータを読み出す。
【００３４】
（システムの機能構成）
次に、図３を参照して、本実施の形態に係るシステム１００の機能構成について、説明する。図３は、本実施の形態に係るシステム１００の機能構成の一例を示す機能ブロック図である。なお、図３では、図２と同様に、管理マネージャ１０、サーバＡ１およびサーバＡ２のみを記載している。
【００３５】
（サーバＡ１）
図３に示す通り、サーバＡ１は、検知部２３１、開閉部２４１、停止部２４２、送信部２４３、受信部２４４および記憶部２５１を備えている。
【００３６】
検知部２３１は、センサ２３で実現される。検知部２３１は、水滴を検知すると、水滴が検知されたことを示す信号を、開閉部２４１および送信部２４３に通知する。
【００３７】
開閉部２４１は、検知部２３１から水滴を検知したことを示す信号を受信すると、ロック部材２２２のロックを解除し、開閉部材２２１を移動させ、空気孔２１を遮蔽する。そして、開閉部２４１は、空気孔２１を遮蔽したことを、停止部２４２に通知する。
【００３８】
記憶部２５１は、メモリ２５で実現される記憶手段である。記憶部２５１には、機器グループ情報が格納されている。機器グループ情報には、同一の機器グループ（同一の領域）に含まれるサーバを示す情報（例えば、サーバが配置された領域を示すエリアコード、当該サーバのＩＰアドレスなど）が含まれる。
【００３９】
送信部２４３は、検知部２３１から水滴を検知したことを示す信号を受信すると、通信Ｉ／Ｆ２６を介して、管理マネージャ１０に対し、水滴を検知したことを示す信号を送信（通報）する。なお、送信部２４３は、当該サーバ（本実施の形態においてはサーバＡ１）を示す情報（例えば、エリアコードおよびＩＰアドレス）を送信してもよい。また、送信部２４３は、記憶部２５１に記憶されている機器グループ情報を送信する構成であってもよい。
【００４０】
送信部２４３は、管理マネージャ１０に通報した後、通報したことを停止部２４２に通知する。
【００４１】
受信部２４４は、管理マネージャ１０から自サーバをシャットダウン（電源オフ）させる指示（電源オフ指示）を、通信Ｉ／Ｆ２６を介して受信する。受信部２４４は、電源オフ指示を受信すると、当該指示を停止部２４２に送信する。
【００４２】
停止部２４２は、自サーバを電源オフする機能を有する。停止部２４２は、（１）開閉部２４１および送信部２４３からの通知をそれぞれ受信したとき、または、（２）受信部２４４から電源オフ指示を受信したときに、自サーバを電源オフする。
【００４３】
開閉部２４１、停止部２４２、送信部２４３および受信部２４４は、ＣＰＵ２４にて実現される。
【００４４】
（サーバＡ２）
サーバＡ２は、停止部３４２および受信部３４４を備えている。停止部３４２および受信部３４４はＣＰＵ３４にて実現される。
【００４５】
受信部３４４は、管理マネージャ１０から自サーバに対する電源オフ指示を、通信Ｉ／Ｆ３６を介して受信する。受信部３４４は、電源オフ指示を受信すると、当該指示を停止部３４２に送信する。
【００４６】
停止部３４２は、受信部３４４から電源オフ指示を受信したとき、自サーバを電源オフする。
【００４７】
（管理マネージャ１０）
管理マネージャ１０は、すべてのサーバ（本実施の形態においては、サーバＡ１〜Ａ３、Ｂ１〜Ｂ３）の上位管理権限を有している。なお、本実施の形態における管理マネージャ１０には、空気孔やセンサはない構成であるとする。
【００４８】
図３に示す通り、管理マネージャ１０は、送信部１４３、受信部１４４、サーバ特定部１４５および記憶部１５１を備えている。サーバ特定部１４５、送信部１４３および受信部１４４はＣＰＵ１４にて実現される。
【００４９】
受信部１４４は、水滴を検知したことを示す通報を通信Ｉ／Ｆ１６を介して受信し、当該通報を受信したことを示す情報と共に、通報したサーバを示す情報（例えば、通報をしたサーバのＩＰアドレス）をサーバ特定部１４５に供給する。なお、受信部１４４は、水滴を検知したことを示す信号と共に、通報をしたサーバを示す情報が含まれている場合、当該通報をしたサーバを示す情報をサーバ特定部１４５に供給する。また、受信部１４４は、水滴を検知したことを示す信号と共に、機器グループ情報を受信した際、上記通報したサーバを示す情報と共に、当該機器グループ情報もサーバ特定部１４５に供給する。
【００５０】
記憶部１５１は、メモリ１５で実現される記憶手段である。記憶部１５１には、サーバ設置環境登録情報が格納されている。サーバ設置環境登録情報とは、各サーバを示す情報が、当該サーバが設置されている環境（例えば、機器グループ）ごとに管理されている情報である。本実施の形態では、サーバ設置環境登録情報には、例えば、機器グループＡに、サーバＡ１、Ａ２、Ａ３が含まれ、機器グループＢに、サーバＢ１、Ｂ２、Ｂ３が含まれているという情報が登録されている。なお、サーバ設置環境登録情報には、機器グループではなくエリアコード（例えば、領域Ａおよび領域Ｂなど）ごとに、当該領域に含まれるサーバを示す情報が含まれていてもよい。なお、サーバを示す情報とは、サーバ名、ＩＰアドレスなどが挙げられるが、これに限定されるものではなく、サーバを特定する情報であればよい。
【００５１】
サーバ特定部１４５は、受信部１４４から通報をしたサーバを示す情報を受け取ると、記憶部１５１に記憶されたサーバ設置環境登録情報を参照して、通報を受けたサーバと同じ領域（同じ機器グループ）にあるサーバを特定する。サーバ特定部１４５は、特定したサーバを示す情報（例えば、ＩＰアドレスなど）を送信部１４３に供給する。
【００５２】
なお、サーバ特定部１４５は、上記通報したサーバを示す情報と共に、受信部１４４から機器グループ情報が供給された場合、当該機器グループ情報に含まれるエリアコードおよびＩＰアドレスと、サーバ設置環境登録情報に登録されているエリアコードおよびＩＰアドレスが一致するか否かを確認する構成であってもよい。
【００５３】
また、サーバ特定部１４５は、機器グループ情報に含まれるＩＰアドレスがサーバ設置環境登録情報に登録されているＩＰアドレスが一致するか否かを確認し、一致するサーバを同じ領域にあるサーバと特定する構成であってもよい。これにより、機器グループ情報に誤りがあった場合であっても、ＩＰアドレスを参照することにより、通報をしたサーバと同じ領域にあるサーバを特定することができる。
【００５４】
送信部１４３は、サーバ特定部１４５が特定したサーバに対し、通信Ｉ／Ｆ１６を介して、一斉に、電源オフ指示を送信する。
【００５５】
（システムの動作）
次に、図４〜６を参照して、本実施の形態に係るシステムの処理の流れについて説明する。図４〜６は、本実施の形態に係るシステムの処理の流れの一例を示すフローチャートである。なお、本実施の形態においては、図１に示す領域Ａの部屋で、当該部屋の防火設備（例えば、スプリンクラー）が動作した場合を例に説明を行う。この時の、サーバＡ１の処理の流れを図４に、管理マネージャ１０の処理の流れを図５に、そのほかのサーバ（サーバＡ２、Ａ３、Ｂ１〜Ｂ３）の処理の流れを図６に示す。
【００５６】
図４に示すように、サーバＡ１の検知部２３１が、空気孔２１からの水の浸入を検知したか否かを確認する（ステップＳ４１）。検知部２３１は、水の浸入を検知するまでステップＳ４１を繰り返す。
【００５７】
検知部２３１が水の浸入を検知すると（ステップＳ４１にてＹＥＳ）、検知部２３１は、水の浸入を検知したことを、開閉部２４１および送受信部２４３に通知する。開閉部２４１は、上記通知を受信すると、ロック部材２２２のロックを解除することで、開閉部材２２１を移動させ、空気孔２１を遮蔽する（ステップＳ４２）。そして、開閉部２４１は、空気孔２１を遮蔽したことを停止部２４２に通知する。
【００５８】
送信部２４３は、検知部２３１からの通知を受信すると、管理マネージャ１０に対し、水の浸入を検知したことを通報する（ステップＳ４３）。そして、送信部２４３は、通報したことを停止部２４２に通知する。なお、ステップＳ４２およびＳ４３は、逆の順番で実行してもよいし、同時に実行してもよい。また、送信部２４３は、開閉部２４１から空気孔２１を遮蔽したことを示す通知を受け取った後に、通報する構成であってもよい。
【００５９】
ステップＳ４２およびＳ４３が終了した後、停止部２４２は、自サーバ（本例ではサーバＡ１）をシャットダウン（電源オフ）し（ステップＳ４４）、処理を終了する。
【００６０】
次に、図５を参照して、管理マネージャ１０の処理の流れについて説明する。図５に示す通り、管理マネージャ１０の受信部１４４は、通報を受信したか否かを確認する（ステップＳ５１）。受信部１４４は、通報を受信するまで、Ｓ５１を繰り返す。
【００６１】
上述したステップＳ４３で、通報された後に、受信部１４４が通報を受信すると（ステップＳ５１にてＹＥＳ）、受信部１４４は、通報したサーバを示す情報（例えば、通報をしたサーバのＩＰアドレス）をサーバ特定部１４５に供給する。なお、受信部１４４は、水滴を検知したことを示す信号と共に、機器グループ情報を受信した際、上記通報したサーバを示す情報と共に、当該機器グループ情報もサーバ特定部１４５に供給する。
【００６２】
サーバ特定部１４５は、受信部１４４から通報をしたサーバを示す情報を受け取ると、記憶部１５１に記憶されたサーバ設置環境登録情報を参照して、通報を受けたサーバと同じ領域にあるサーバを特定する（ステップＳ５２）。そして、サーバ特定部１４５は、特定したサーバを送信部１４３に供給する。
【００６３】
送信部１４３は、サーバ特定部１４５が特定したサーバに対し、電源オフ指示を送信し（ステップＳ５３）、処理を終了する。
【００６４】
本例では、サーバＡ１と同じ領域ＡにあるサーバＡ２およびサーバＡ３に対して、電源オフ指示が送信される。領域Ｂに配置されたサーバＢ１〜Ｂ３に対しては、サーバ特定部１４５が通報したサーバＡ１と同じ領域ではないと判断するため、電源オフ指示は送信されない。
【００６５】
次に、図６を参照して、通報したサーバ（本実施の形態ではサーバＡ１）以外のサーバの処理の流れについて説明する。図６に示す通り、サーバＡ１以外のサーバ（以下、他のサーバと呼ぶ）の受信部３４４（サーバＡ２、Ａ３、Ｂ１およびＢ２の場合）および受信部２４４（サーバＢ３の場合）は、電源オフ指示を受信したか否かを確認する（ステップＳ６１）。受信部３４４および受信部２４４は、電源オフ指示を受信するまでステップＳ６１を繰り返す。
【００６６】
受信部３４４および受信部２４４が電源オフ指示を受信すると（ステップＳ６１にてＹＥＳ）、受信部３４４および受信部２４４は、自サーバに遮蔽機構２２が備えらえているか否かを確認する（ステップＳ６２）。なお、自サーバに遮蔽機構２２が備えられているか否の確認方法は、自サーバの設定情報などを参照することで行われる。なお、受信部３４４および受信部２４４は、遮蔽機構２２ではなく、センサ２３が設置されているか否かを確認してもよい。
【００６７】
遮蔽機構２２が備えられている（すなわち、サーバＡ１およびサーバＢ３の構成である）場合（ステップＳ６２にてＹＥＳ）、開閉部２４１は、ロック部材２２２のロックを解除することで、開閉部材２２１を移動させ、空気孔２１を遮蔽する（ステップＳ６３）。なお、本実施の形態において、電源オフを指示されたサーバは、サーバＡ２およびサーバＡ３であるため、本例では、Ｓ６３は行われない。
【００６８】
ステップＳ６３終了後、または、遮蔽機構２２が備えられていない（すなわち、サーバＡ２、Ａ３、Ｂ１およびＢ２である）場合（ステップＳ６２にてＮＯ）、停止部２４２または停止部３４２は、自サーバを電源オフする（ステップＳ６４）。本例では、サーバＡ２およびサーバＡ３が対象となるため、サーバＡ２およびサーバＡ３の停止部３４２は、それぞれ、自サーバを電源オフする。
【００６９】
これにより、サーバＡ１〜Ａ３がシャットダウンし、管理マネージャ１０から電源オフ指示が通知されていないサーバＢ１〜Ｂ３は稼働した状態となる。
【００７０】
（効果）
以上のように、本実施の形態に係るシステム１００は、複数の領域（領域ＡおよびＢ）に配置されており、自装置をシャットダウンするための停止部２４２または停止部３４２を備えた複数のサーバ（サーバＡ１〜Ａ３、Ｂ１〜Ｂ３）と、サーバＡ１〜Ａ３、Ｂ１〜Ｂ３の夫々を管理する管理マネージャ１０とを備えている。
【００７１】
各領域に配置された複数のサーバのうち、少なくとも１つのサーバ（本実施の形態では、サーバＡ１およびサーバＢ３）は、外装に空気孔２１が設けられており、水滴を検知するセンサ２３と、センサ２３が水滴を検知すると、管理マネージャ１０に水滴を検知したことを示す通知を送信する送信部２４３と、センサ２３が水滴を検知すると、空気孔２１を閉じる開閉部２４１と、を備えている。管理マネージャ１０は、センサ２３によって水滴を検知したサーバから、前記通知を受信したとき、前記通知を送信したサーバと同じ領域に配置されたサーバであって、当該通知を送信したサーバとは異なるサーバに対し、シャットダウンするための指示を送信する送信部１４３を備えている。
【００７２】
そして、前記水滴を検知したサーバの停止部２４２は、センサ２３が水滴を検知したとき、当該サーバをシャットダウンし、各領域に配置された１または複数のサーバのうち、前記水滴を検知したサーバと同じ領域に配置されたサーバの停止部３４２は、前記シャットダウンするための指示を受信したとき、当該サーバをシャットダウンする。
【００７３】
これにより、水滴を検知したサーバは、これ以上の水の浸入を防いで、安全にサーバの電源を落とすことができ、更に、水滴を検知したサーバと同じ領域に配置されているサーバの電源を安全に落とすことができる。
【００７４】
したがって、本実施の形態に係るシステム１００によれば、水の浸入を防ぎ、より安全にサーバを使用することができる。
【００７５】
（変形例）
本実施の形態に係るシステム１００では、各領域には空気孔２１および遮蔽機構２２を有したサーバが１つある構成について、説明を行ったが、本発明はこれに限定されるものではない。各領域に配置されているサーバの全てが、空気孔２１および遮蔽機構２２を有していてもよいし、任意の数のサーバが空気孔２１および遮蔽機構２２を有していてもよい。
【００７６】
このような構成であっても、管理マネージャ１０が全てのサーバの電源管理を行うため、ある領域にあるサーバが水滴を検知すると、管理マネージャ１０は、当該領域にあるサーバの全てに対して、電源オフ指示を送信することができる。これにより、より安全に、防火設備が備えられた部屋に配置されたサーバを利用することができる。
【００７７】
＜第２の実施の形態＞
本発明の第２の実施の形態について、図面を参照して詳細に説明する。なお、説明の便宜上、前述した第１の実施の形態で説明した図面に含まれる部材と同じ機能を有する部材については、同じ符号を付し、その説明を省略する。
【００７８】
（システムの配置）
図７は、本実施の形態に係るシステム２００の配置の一例を示す図である。本実施の形態に係るシステム２００が前述した第１の実施の形態に係るシステム１００と異なる点は、管理マネージャ１０が備えられていない点である。
【００７９】
図７に示すように、本実施の形態に係るシステム２００は、複数のサーバＡ１〜Ａ３、Ｂ１〜Ｂ３を備えている。なお、サーバの数は一例であり、これに限定されるものではない。サーバＡ１〜Ａ３は、領域Ａにそれぞれ設置されている。また、サーバＢ１〜Ｂ３は、領域Ａとは異なる領域である、領域Ｂに設置されている。
【００８０】
領域ＡおよびＢは、ぞれぞれ、防火壁等で区分けされた場所であるとする。また、領域ＡおよびＢは、それぞれ、スプリンクラーなどの防火設備を備えた部屋であり、当該スプリンクラーは、それぞれ別個に動作するものであるとする。
【００８１】
サーバＡ１〜Ａ３は、互いにネットワーク接続されており、機器グループＡを構成している。サーバＢ１〜Ｂ３は、互いにネットワーク接続されており、機器グループＡとは異なるグループである機器グループＢを構成している。また、サーバＡ１〜Ａ３およびＢ１〜Ｂ３は、互いにネットワーク接続されている。このように同一の領域にあるサーバは１つの機器グループに所属している。
【００８２】
（システムのハードウェア構成）
次に、本実施の形態に係るシステム２００のハードウェア構成について、説明する。本実施の形態に係るサーバＡ１〜Ａ３、および、サーバＢ１〜Ｂ３は、それぞれ、第１の実施の形態に係るサーバＡ１と同じ構成であるとする。すなわち、サーバＡ１〜Ａ３、Ｂ１〜Ｂ３が、それぞれ、図２に示すサーバＡ１と同様に、遮蔽機構２２、センサ２３、ＣＰＵ２４、メモリ２５および通信Ｉ／Ｆ（通信インタフェース）２６を備えており、それぞれシステムバス２７を介して接続している。
【００８３】
サーバＡ１〜Ａ３、Ｂ１〜Ｂ３の夫々の部材は、第１の実施の形態で説明したサーバＡ１の各部材と同様の機能を有するため、説明を省略する
（システムの機能構成）
次に、図８を参照して、本実施の形態に係るシステム２００の機能構成について説明する。図８は、本実施の形態に係るシステム２００の機能構成の一例を示す機能ブロック図である。なお、図８では、サーバＡ１〜Ａ３のみを記載している。
【００８４】
図８に示す通り、サーバＡ１〜Ａ３は、検知部２３１、開閉部２４１、停止部２４２、送信部２４３、受信部２４４、サーバ特定部２４５および記憶部２５１を備えている。開閉部２４１、停止部２４２、送信部２４３、受信部２４４およびサーバ特定部２４５はＣＰＵ２４にて実現される。
【００８５】
サーバ特定部２４５は、受信部２４４が受信した情報に基づいて、同じ領域内に設置されたサーバを特定する手段である。サーバ特定部２４５は、記憶部２５１に記憶されている機器グループ情報に基づいて、同じ領域内に設置されたサーバを特定してもよい。
【００８６】
図８において、各サーバの送信部２４３および受信部２４４から他のサーバに向かう矢印は、説明の便宜上、サーバＡ１が水滴を検知した場合におけるデータの流れのみを示している。そのため、各サーバの送信部２４３および受信部２４４から他のサーバに向かう矢印はこれに限定されるものではないことは言うまでもない。
【００８７】
各サーバの各機能の具体的な処理については、図９および図１０のフローチャートを用いて説明する。
【００８８】
（システムの動作）
次に、図９および図１０を参照して、本実施の形態に係るシステムの処理の流れについて説明する。図９および図１０は、本実施の形態に係るシステムの処理の流れの一例を示すフローチャートである。なお、本実施の形態においては、図７に示す領域Ａの部屋で、当該部屋の防火設備（例えば、スプリンクラー）が動作し、サーバＡ１で水滴を検知した場合を例に説明を行う。この時の、サーバＡ１の処理の流れを図９に、そのほかのサーバ（サーバＡ２、Ａ３、Ｂ１〜Ｂ３）の処理の流れを図１０に示す。
【００８９】
図９に示すように、サーバＡ１の検知部２３１が、空気孔２１からの水の浸入を検知したか否かを確認する（ステップＳ９１）。検知部２３１は、水の浸入を検知するまでステップＳ９１を繰り返す。
【００９０】
検知部２３１が水の浸入を検知すると（ステップＳ９１にてＹＥＳ）、検知部２３１は、水の浸入を検知したことを、開閉部２４１および送受信部２４３に通知する。開閉部２４１は、上記通知を受信すると、ロック部材２２２のロックを解除することで、開閉部材２２１を移動させ、空気孔２１を遮蔽する（ステップＳ９２）。そして、開閉部２４１は、空気孔２１を遮蔽したことを停止部２４２に通知する。
【００９１】
送信部２４３は、検知部２３１からの通知を受信すると、ブロードキャストし、自サーバ（サーバＡ１）と同じ領域にあるサーバを検索する。具体的には、送信部２４３は、ネットワークで接続されている全てのサーバ（本例では、サーバＡ２、Ａ３、Ｂ１〜Ｂ３）に対し、サーバが設置されている領域を示す情報（例えば、エリアコード、ＩＰアドレス）の送信指示を送信（ブロードキャスト）する。そして、サーバＡ１の受信部２４４が、各サーバの送信部２４３から送信された上記情報を受信し、受信した情報をサーバ特定部２４５に供給する。サーバＡ１のサーバ特定部２４５は、受信部２４４から供給された情報に基づいて、自サーバと同じ領域にあるサーバを特定し、サーバＡ１の送信部２４３に特定したサーバを示す情報を供給する（ステップＳ９３）。
【００９２】
サーバＡ１に送信部２４３は、サーバ特定部２４５が特定したサーバに対し、電源オフ指示を送信（マルチキャスト）する。そして、サーバＡ１の送信部２４３は、電源オフ指示をマルチキャスト送信したことを停止部２４２に通知する（ステップＳ９４）。
【００９３】
なお、ステップＳ９２は、ステップＳ９４の後に行われてもよいし、ステップＳ９３またはＳ９４と同時に行われてもよい。
【００９４】
サーバＡ１の停止部２４２は、開閉部２４２および送信部２４３からの通知を受け取ると、自サーバ（本例ではサーバＡ１）をシャットダウン（電源オフ）し、処理を終了する（ステップＳ９５）。
【００９５】
なお、本実施の形態では、送信部２４３が、ブロードキャストして、自サーバと同じ領域にあるサーバを検索し、サーバ特定部２４５が、検索結果に基づいて同じ領域にあるサーバを特定することを例に説明を行った。しかし、本発明はこれに限定されるものではなく、サーバ特定部２４５が、記憶部２５１に記憶されている機器グループ情報に基づいて、同じ領域内に設置されたサーバを特定してもよい。
【００９６】
また、例えば、各サーバが、異なる領域では異なるセグメントに接続され、各サーバの送信部２４３がブロードキャスト送信すると同じセグメント内のサーバに対してのみ指示が送信される構成である場合について説明する。この場合、水滴を検知したサーバの送信部２４３は、上述したステップＳ９３およびＳ９４の代わりに、電源オフ指示をブロードキャスト送信する処理を行ってもよい。この場合、同じ領域に配置されたサーバのみが同じセグメントにあるため、同じ領域に配置されたサーバに対してのみ、電源オフ指示が送信されることになる。
【００９７】
このように、本例では、サーバＡ１と同じ領域ＡにあるサーバＡ２およびサーバＡ３に対して、電源オフ指示が送信される。領域Ｂに配置されたサーバＢ１〜Ｂ３に対しては、電源オフ指示は送信されない。
【００９８】
次に、図１０を参照して、水滴を検知したサーバ（本実施の形態ではサーバＡ１）以外のサーバの処理の流れについて説明する。図１０に示す通り、他のサーバの受信部２４４は、電源オフ指示を受信したか否かを確認する（ステップＳ１０１）。受信部２４４は、電源オフ指示を受信するまでステップＳ１０１を繰り返す。
【００９９】
受信部２４４が電源オフ指示を受信すると（ステップＳ１０１にてＹＥＳ）、開閉部２４１は、ロック部材２２２のロックを解除することで、開閉部材２２１を移動させ、空気孔２１を遮蔽する（ステップＳ１０２）。
【０１００】
ステップＳ１０２終了後、停止部２４２は、自サーバを電源オフする（ステップＳ１０３）。本例では、サーバＡ２およびサーバＡ３が対象となるため、サーバＡ２およびサーバＡ３の停止部２４２は、それぞれ、自サーバを電源オフする。
【０１０１】
これにより、サーバＡ１〜Ａ３がシャットダウンし、電源オフ指示が通知されていないサーバＢ１〜Ｂ３は稼働した状態となる。
【０１０２】
（効果）
以上のように、本実施の形態に係るシステム２００は、複数の領域（領域ＡおよびＢ）に配置され、自装置をシャットダウンするための停止部２４２をそれぞれ備えた複数のサーバ（サーバＡ１〜Ａ３、Ｂ１〜Ｂ３）を備えている。そして、各領域に配置された複数のサーバのうち、少なくとも１つのサーバは、外装に空気孔２１が設けられており、空気孔２１を介して内部に侵入した水滴を検知するセンサ２３と、センサ２３が水滴を検知すると、空気孔２１を閉じる開閉部２４１と、センサ２３が水滴を検知すると、当該サーバと同じ領域に配置されたサーバを特定するサーバ特定部２４５と、サーバ特定部２４５が特定したサーバに対し、シャットダウンするための指示を送信する送信部２４４と、を備えている。
【０１０３】
そして、水滴を検知したサーバの停止部２４２は、送信部２４３が前記指示を送信し、開閉部２４１が空気孔２１を閉じたとき、当該サーバをシャットダウンし、各領域に配置された複数のサーバのうち、水滴を検知したサーバと同じ領域に配置されたサーバの停止部２４２は、シャットダウンするための指示を受信したとき、当該サーバをシャットダウンする。
【０１０４】
これにより、水滴を検知したサーバは、これ以上の水の浸入を防いで、安全にサーバの電源を落とすことができ、更に、水滴を検知したサーバと同じ領域に配置されているサーバの電源を安全に落とすことができる。
【０１０５】
したがって、本実施の形態に係るシステム２００によれば、水の浸入を防ぎ、より安全にサーバを使用することができる。
【０１０６】
（変形例）
本実施の形態に係るシステム２００では、すべてのサーバに空気孔２１および遮蔽機構２２がある構成について、説明を行ったが、本発明はこれに限定されるものではない。各領域に配置されているサーバの少なくとも１つが、空気孔２１および遮蔽機構２２を有する構成であればよい。
【０１０７】
このような構成であっても、水滴を検知したサーバが、同じ領域にあるサーバに対し、電源オフ指示をマルチキャスト送信（またはブロードキャスト送信）することができる。これにより、より安全に、防火設備が備えられた部屋に配置されたサーバを利用することができる。
【０１０８】
＜第３の実施の形態＞
本発明の第３の実施の形態について、図面を参照して詳細に説明する。なお、説明の便宜上、前述した第１および第２の実施の形態で説明した図面に含まれる部材と同じ機能を有する部材については、同じ符号を付し、その説明を省略する。
【０１０９】
図１１は、本実施の形態に係るシステム３００の構成の一例を示すブロック図である。図１１に示す通り、システム３００は、複数の領域（領域ＡおよびＢ）に配置され、複数のサーバ（サーバＡ１、Ａ２、Ｂ１、Ｂ２）と、前記複数のサーバの夫々を管理する管理マネージャ１０とを備えている。
【０１１０】
サーバＡ１およびＢ１には、外装に空気孔２１が設けられている。また、サーバＡ１およびＢ１は、水滴を検知するセンサ２３と、空気孔２１を閉じる開閉部２４１と、センサ２１が水滴を検知すると、管理マネージャ１０に水滴を検知したことを示す通知を送信する送信部（第１の送信手段）２４３と、自装置をシャットダウンするための停止部２４２を備えている。
【０１１１】
サーバＡ１と同じ領域Ａに配置されたサーバＡ２と、サーバＢ１と同じ領域に配置されたサーバＢ２とは、それぞれ、自装置をシャットダウンするための停止部３４２を備えている。
【０１１２】
管理マネージャ１０は、センサ２１によって水滴を検知したサーバから、前記通知を受信したとき、例えば、サーバＡ１から通知を受信したとき、サーバＡ１と同じ領域に配置されたサーバであって、当該通知を送信したサーバとは異なるサーバＡ２に対し、シャットダウンするための指示を送信する送信部１４３を備えている。
【０１１３】
サーバＡ１のセンサ２３が水滴を検知したとき、水滴を検知したサーバＡ１の開閉部２４１は、空気孔２１を閉じ、水滴を検知したサーバＡ１の停止部２４２は、送信部２４３が前記通知を送信し、開閉部２４１が前記空気孔を閉じたとき、サーバをシャットダウンするように構成されている。また、水滴を検知したサーバＡ１と同じ領域に配置されたサーバＡ２の停止部３４２は、シャットダウンするための指示を受信したとき、当該サーバＡ２をシャットダウンする。
【０１１４】
この時、サーバＢ１およびサーバＢ２は、水滴を検知しておらず、シャットダウンする指示が送信されないため、シャットダウンしない。
【０１１５】
これにより、水滴を検知したサーバは、これ以上の水の浸入を防いで、安全にサーバの電源を落とすことができ、更に、水滴を検知したサーバと同じ領域に配置されているサーバの電源を安全に落とすことができる。そして、水滴を検知したサーバと異なる領域に配置されているサーバは、引き続き稼働させることができる。
【０１１６】
したがって、本実施の形態に係るシステム３００によれば、水の浸入を防ぎ、より安全にサーバを使用することができる。
【０１１７】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【０１１８】
例えば、上述した実施の形態における各動作は、ハードウェアまたはソフトウェア、あるいはその両方の複合構成によって実行することも可能である。
【０１１９】
なお、ソフトウェアによる処理を実行する場合には、例えば、上記各処理が実行可能な汎用コンピュータにプログラムをインストールして実行させることが可能である。また、上記プログラムは、例えば、ハードディスクなどの記録媒体に記録しておくことが可能である。
【０１２０】
上記の実施の形態の一部又は全部は、以下の付記のようにも記載されうるが、以下には限られない。
【０１２１】
（付記１）１または複数の領域に配置され、自装置をシャットダウンするための停止手段を備えた複数のサーバと、前記複数のサーバの夫々を管理する管理マネージャとを備え、各領域に配置された１または複数のサーバのうち、少なくとも１つのサーバは、外装に空気孔が設けられており、水滴を検知するセンサと、前記空気孔を閉じる開閉手段と、前記センサが水滴を検知すると、前記管理マネージャに水滴を検知したことを示す通知を送信する第１の送信手段と、を備え、前記管理マネージャは、前記センサを備えた前記少なくとも１つのサーバのうち、前記センサによって水滴を検知したサーバから前記通知を受信したとき、当該サーバと同じ領域に配置された、当該サーバとは異なるサーバに対し、シャットダウンするための指示を送信する第２の送信手段を備え、前記１または複数の領域の何れかに配置されたサーバの前記センサが水滴を検知したとき、前記開閉手段は前記空気孔を閉じ、当該サーバの前記停止手段は、前記センサが水滴を検知したとき、当該サーバをシャットダウンし、各領域に配置された１または複数のサーバのうち、前記水滴を検知したサーバと同じ領域に配置されたサーバの停止手段は、前記シャットダウンするための指示を受信したとき、当該サーバをシャットダウンする、ことを特徴とするシステム。
【０１２２】
（付記２）各領域に配置された１または複数のサーバのうち、前記水滴を検知したサーバと同じ領域に配置されたサーバの外装に空気孔が設けられている場合、当該サーバが前記シャットダウンするための指示を受信したとき、当該サーバの前記開閉手段は、前記空気孔を閉じ、当該サーバの前記停止手段は、当該開閉手段が当該空気孔を閉じた後に、当該サーバをシャットダウンする、ことを特徴とする、付記１に記載のシステム。
【０１２３】
（付記３）前記管理マネージャは、前記複数のサーバの夫々が配置されている領域を示すサーバ設置情報を記憶する第１の記憶手段と、前記サーバ設置情報を参照して、前記通知を送信したサーバと同じ領域に配置されたサーバであって、当該通知を送信したサーバとは異なるサーバを特定するサーバ特定手段とを更に備え、前記第２の送信手段は、前記サーバ特定手段が特定したサーバに対し、シャットダウンするための指示を送信する、ことを特徴とする付記１または２に記載のシステム。
【０１２４】
（付記４）前記少なくとも１つのサーバは、該サーバが設置された領域と同じ領域に設置されているサーバを管理するための機器グループ情報を記憶する第２の記憶手段を更に備え、前記第１の送信手段は、前記通知と共に、前記機器グループ情報を前記管理マネージャに送信し、前記管理マネージャの前記第２の送信手段は、前記機器グループ情報に基づいて、前記通知を送信したサーバと同じ領域に配置されたサーバであって、当該通知を送信したサーバとは異なるサーバに対し、シャットダウンするための指示を送信する、ことを特徴とする付記１から３の何れかに記載のシステム。
【０１２５】
（付記５）１または複数の領域に配置され、自装置をシャットダウンするための停止手段を備えた複数のサーバを備え、各領域に配置された１または複数のサーバのうち、少なくとも１つのサーバは、外装に空気孔が設けられており、水滴を検知するセンサと、前記センサが水滴を検知すると、前記空気孔を閉じる開閉手段と、前記センサが水滴を検知すると、当該サーバと同じ領域に配置されたサーバを特定するサーバ特定手段と、前記サーバ特定手段が特定したサーバに対し、シャットダウンするための指示を送信する送信手段と、を備え、前記センサを備えた前記少なくとも１つのサーバのうち、前記センサによって水滴を検知したサーバの前記停止手段は、前記センサが水滴を検知したとき、当該サーバをシャットダウンし、各領域に配置された１または複数のサーバのうち、前記水滴を検知したサーバと同じ領域に配置されたサーバの停止手段は、前記シャットダウンするための指示を受信したとき、当該サーバをシャットダウンする、ことを特徴とするシステム。
【０１２６】
（付記６）各領域に配置された１または複数のサーバのうち、前記水滴を検知したサーバと同じ領域に配置されたサーバの外装に空気孔が設けられている場合、当該サーバが前記シャットダウンするための指示を受信したとき、当該サーバの前記開閉手段は、前記空気孔を閉じ、当該サーバの前記停止手段は、当該開閉手段が当該空気孔を閉じた後に、当該サーバをシャットダウンする、ことを特徴とする、付記５に記載のシステム。
【０１２７】
（付記７）前記サーバ特定手段は、前記センサが水滴を検知したとき、ブロードキャストすることによって、当該サーバに接続されている他のサーバの設置場所を示す情報を取得し、取得した前記情報に基づいて、当該サーバと同じ領域に配置されたサーバを特定する、ことを特徴とする付記５または６に記載のシステム。
【０１２８】
（付記８）前記少なくとも１つのサーバは、該サーバが設置された領域と同じ領域に設置されているサーバを管理するための機器グループ情報を記憶する記憶手段を更に備え、前記サーバ特定手段は、前記機器グループ情報に基づいて、当該サーバと同じ領域に配置されたサーバを特定する、ことを特徴とする付記５または６に記載のシステム。
【０１２９】
（付記９）外装に空気孔が設けられているサーバを少なくとも１つ含んだ１または複数のサーバが、１または複数の領域の夫々に配置されており、当該サーバが配置された領域とは異なる領域に当該サーバを管理する管理マネージャが配置されたシステムの制御方法であって、前記少なくとも１つのサーバが、水滴を検知し、前記空気孔を閉じ、前記管理マネージャに水滴を検知したことを示す通知を送信し、当該サーバをシャットダウンし、前記管理マネージャが、前記水滴を検知したサーバから、前記通知を受信したとき、前記通知を送信したサーバと同じ領域に配置されたサーバであって、当該通知を送信したサーバとは異なるサーバに対し、シャットダウンするための指示を送信し、各領域に配置された１または複数のサーバのうち、前記水滴を検知したサーバと同じ領域に配置されたサーバが、前記シャットダウンするための指示を受信したとき、当該サーバをシャットダウンする、ことを特徴とする制御方法。
【０１３０】
（付記１０）１または複数の領域に配置された複数のサーバを備え、各領域に配置された１または複数のサーバのうち、少なくとも１つのサーバには、外装に空気孔が設けられたシステムの制御方法であって、前記少なくとも１つのサーバが、水滴を検知し、前記空気孔を閉じ、当該サーバと同じ領域に配置されたサーバを特定し、前記特定したサーバに対し、シャットダウンするための指示を送信し、当該サーバをシャットダウンし、各領域に配置された１または複数のサーバのうち、前記水滴を検知したサーバと同じ領域に配置されたサーバが、前記シャットダウンするための指示を受信したとき、当該サーバをシャットダウンする、ことを特徴とする制御方法。
【０１３１】
（付記１１）外装に空気孔が設けられているサーバを少なくとも１つ含んだ１または複数のサーバが、１または複数の領域の夫々に配置されており、当該サーバが配置された領域とは異なる領域に当該サーバを管理する管理マネージャが配置されたシステムで用いられ、前記少なくとも１つのサーバに、水滴を検知する処理と、前記空気孔を閉じさせる処理と、前記管理マネージャに水滴を検知したことを示す通知を送信する処理と、当該サーバをシャットダウンする処理とを実行させ、前記管理マネージャに、前記水滴を検知したサーバから前記通知を受信したとき、前記通知を送信したサーバと同じ領域に配置されたサーバであって、当該通知を送信したサーバとは異なるサーバに対し、シャットダウンするための指示を送信する処理を実行させ、各領域に配置された１または複数のサーバのうち、前記水滴を検知したサーバと同じ領域に配置されたサーバに、前記シャットダウンするための指示を受信したとき、当該サーバをシャットダウンする処理を実行させる、ことを特徴とするプログラム。
【０１３２】
（付記１２）１または複数の領域に配置された複数のサーバを備え、各領域に配置された１または複数のサーバのうち、少なくとも１つのサーバには、外装に空気孔が設けられたシステムで用いられ、前記少なくとも１つのサーバに、水滴を検知する処理と、前記空気孔を閉じさせる処理と、当該サーバと同じ領域に配置されたサーバを特定する処理と、前記特定したサーバに対し、シャットダウンするための指示を送信する処理と、当該サーバをシャットダウンする処理と、を実行させ、各領域に配置された１または複数のサーバのうち前記水滴を検知したサーバと同じ領域に配置されたサーバに、前記シャットダウンするための指示を受信したとき、当該サーバをシャットダウンする処理を実行させる、ことを特徴とするプログラム。
【０１３３】
（付記１３）付記１１および１２に記載のプログラムを記録する記録媒体。
【符号の説明】
【０１３４】
１０    管理マネージャ
１４３    送信部
１４４    受信部
１４５    サーバ特定部
２１    空気孔
２２    遮蔽機構
２２１    開閉部材
２２２    ロック部材
２３    センサ
２３１    検知部
２４１    開閉部
２４２    停止部
２４３    送信部
２４４    受信部
２４５    サーバ特定部
２５１    記憶部
３４２    停止部
３４４    受信部
Ａ１〜Ａ３    サーバ
Ｂ１〜Ｂ３    サーバ
１００    システム
２００    システム
３００    システム
【図１】
2015053004.tif 000003
【図２】
2015053004.tif 000004
【図３】
2015053004.tif 000005
【図４】
2015053004.tif 000006
【図５】
2015053004.tif 000007
【図６】
2015053004.tif 000008
【図７】
2015053004.tif 000009
【図８】
2015053004.tif 000010
【図９】
2015053004.tif 000011
【図１０】
2015053004.tif 000012
【図１１】
2015053004.tif 000013